(57)【要約】【課題】周囲の明るさを検知することで省エネ待機モードをより有効に利用することができるファクシミリ装置およびファクシミリ装置の印字出力方法を提供する。【解決手段】印刷手段（定着部１１６等）と、代行受信手段（主制御部１１９等による代行受信機能）と、周囲の明るさを検知する照度センサ１３１とを備え、省エネ待機モード機能を有するファクシミリ装置において、前記省エネ待機モード中にファクシミリ着信があった場合に、照度センサ１３１の検出値が第１の所定値以下であるときは、前記代行受信手段により受信データを所定の記憶手段に蓄積し、前記明るさ検出手段の検出値が第２の所定値を超えたときは、受信データを前記印刷手段により出力させる主制御部１１９を備えたことを特徴とする。【選択図】    図１
2004274667.tif 000002
【特許請求の範囲】
【請求項１】
ファクシミリ受信した画像データの印字出力を行う印刷手段と、
ファクシミリ受信した画像データの前記印字出力を行わずに所定の記憶手段に蓄積する代行受信手段と、
周囲の明るさを検知する明るさ検出手段と、
を備え、省エネ待機モード機能を有するファクシミリ装置において、
前記省エネ待機モード中にファクシミリ着信があった場合に、前記明るさ検出手段の検出値が第１の所定値以下であるときは、前記代行受信手段により受信データを所定の記憶手段に蓄積し、前記明るさ検出手段の検出値が第２の所定値を超えたときは、前記受信データを前記印刷手段により出力させる制御手段を備えたことを特徴とするファクシミリ装置。
【請求項２】
代行受信手段がアクティブとなる時間帯を設定する代行受信時間帯設定手段を備え、
前記制御手段は、前記代行受信時間帯設定手段により設定した時間帯以外の時間帯の前記省エネ待機モード中にファクシミリ着信があった場合に、前記明るさ検出手段の検出値が第１の所定値以下であるときであっても、前記受信データを前記印刷手段により出力させることを特徴とする請求項１に記載のファクシミリ装置。
【請求項３】
出力条件の優先度選択手段を備え、優先度選択手段は出力可能な条件を選択すること特徴とする請求項１または２に記載のファクシミリ装置。
【請求項４】
前記第１の所定値と前記第２の所定値が、同一値であることを特徴とする請求項１から３の何れかに記載のファクシミリ装置。
【請求項５】
ファクシミリ受信した画像データの印字出力を行う印刷手段と、ファクシミリ受信した画像データの前記印字出力を行わずに所定の記憶手段に蓄積する代行受信手段と、周囲の明るさを検知する明るさ検出手段と、
を備え、省エネ待機モード機能を有するファクシミリ装置の印字出力方法において、
制御手段は、前記省エネ待機モード中にファクシミリ着信があった場合に、前記明るさ検出手段の検出値が第１の所定値以下であるときは、前記代行受信手段により受信データを所定の記憶手段に蓄積し、前記明るさ検出手段の検出値が第２の所定値を超えたときは、前記受信データを前記印刷手段により出力させることを特徴とするファクシミリ装置の印字出力方法。
【請求項６】
前記ファクシミリ装置が代行受信手段がアクティブとなる時間帯を設定する代行受信時間帯設定手段を備えたファクシミリ装置の印字出力方法であって、
前記制御手段は、前記代行受信時間帯設定手段により設定した時間帯以外の時間帯の前記省エネ待機モード中にファクシミリ着信があった場合に、前記明るさ検出手段の検出値が第１の所定値以下であるときであっても、前記受信データを印刷手段により出力させることを特徴とする請求項５に記載のファクシミリ装置の印字出力方法。
【請求項７】
前記ファクシミリ装置が出力条件の優先度選択手段を備え、優先度選択手段は出力可能な条件を選択すること特徴とする請求項５または６に記載のファクシミリ装置の印字出力方法。
【請求項８】
前記第１の所定値と前記第２の所定値が、同一値であることを特徴とする請求項５から７の何れかに記載のファクシミリ装置の印字出力方法。
【発明の詳細な説明】
【０００１】
【発明の属する技術分野】
本発明は、ファクシミリ受信した画像データの前記印字出力を行わずに代行受信するファクシミリ装置およびその印字出力方法に関し、周囲の明るさを検知することで省エネ待機モードをより有効に利用することができるファクシミリ装置およびその印字出力方法に関する。
【０００２】
【従来の技術】
一般的に、ファクシミリは終日通電されていることが多く、省エネ待機モードにおいては電力消費は抑えられているが、深夜の無人の状態においてもファクシミリ受信があるたびに、省エネ待機状態を解除して記録紙に印字出力する。このため、無駄な電力を消費してしまう。
【０００３】
特許文献１においては、省エネ待機モードでは、ディスプレイの表示や動作発信音などによる消費電力を抑えている。
【０００４】
【特許文献１】
特開平２００２−１７８６０３号
【０００５】
【発明が解決しようとする課題】
ファクシミリ受信時には省エネ待機を解除して、記録紙に印字するべく低温の定着部を印字可能な状態にするために、多大な電力を消費してしまう。
【０００６】
本発明は、周囲の明るさを検知することで省エネ待機モードをより有効に利用することができるファクシミリ装置およびファクシミリ装置の印字出力方法を提供することを目的とする。
【０００７】
【課題を解決するための手段】
本発明のファクシミリ装置は、ファクシミリ受信した画像データの印字出力を行う印刷手段と、ファクシミリ受信した画像データの前記印字出力を行わずに所定の記憶手段に蓄積する代行受信手段と、周囲の明るさを検知する明るさ検出手段とを備え、省エネ待機モード機能を有するファクシミリ装置において、前記省エネ待機モード中にファクシミリ着信があった場合に、前記明るさ検出手段の検出値が第１の所定値以下であるときは、前記代行受信手段により受信データを所定の記憶手段に蓄積し、前記明るさ検出手段の検出値が第２の所定値を超えたときは、前記受信データを前記印刷手段により出力させる制御手段を備えたことを特徴とする。
【０００８】
本発明のファクシミリ装置では、深夜などの無人状態でのファクシミリ受信による無駄な電力を抑えることが可能となる。また、代行受信によりまとめて印字出力することで定着部の温度上昇時の電力消費を一度にまとめられることによっても無駄な電力を抑えることになる。
【０００９】
本発明のファクシミリ装置では、代行受信手段がアクティブとなる時間帯を設定する代行受信時間帯設定手段を備え、前記制御手段は、前記代行受信時間帯設定手段により設定した時間帯以外の時間帯の前記省エネ待機モード中にファクシミリ着信があった場合に、前記明るさ検出手段の検出値が第１の所定値以下であるときであっても、前記受信データを前記印刷手段により出力させることができる。これにより、照度のみによる出力条件では、季節による自然光の差が発生し、結果として出力開始時間が異なるため、日の出が早い夏などは、早朝の無人の状態から出力可能になってしまい無駄な電力を消費してしまう、といった不都合を解消できる。
【００１０】
本発明のファクシミリ装置では、出力条件の優先度選択手段を備え、優先度選択手段は出力可能な条件を選択することができる。これにより、ユーザ毎に使用環境が異なるため、設定条件によっては無駄な電力を消費してしまう場合や業務の効率が悪くなる、といった不都合は生じない。
【００１１】
本発明のファクシミリ装置では、第１の所定値と前記第２の所定値を異ならせてもよいし、同一値としてもよい。
【００１２】
本発明のファクシミリ装置の印字出力方法は、ファクシミリ受信した画像データの印字出力を行う印刷手段と、ファクシミリ受信した画像データの前記印字出力を行わずに所定の記憶手段に蓄積する代行受信手段と、周囲の明るさを検知する明るさ検出手段とを備え、省エネ待機モード機能を有するもので、制御手段は、前記省エネ待機モード中にファクシミリ着信があった場合に、前記明るさ検出手段の検出値が第１の所定値以下であるときは、前記代行受信手段により受信データを所定の記憶手段に蓄積し、前記明るさ検出手段の検出値が第２の所定値を超えたときは、前記受信データを印刷手段により出力させることを特徴とする。
【００１３】
本発明のファクシミリ装置の印字出力方法では、前記ファクシミリ装置が代行受信手段がアクティブとなる時間帯を設定する代行受信時間帯設定手段を備えることができ、前記制御手段は、前記代行受信時間帯設定手段により設定した時間帯以外の時間帯の前記省エネ待機モード中にファクシミリ着信があった場合に、前記明るさ検出手段の検出値が第１の所定値以下であるときであっても、前記受信データを前記印刷手段により出力させることができる。
【００１４】
本発明のファクシミリ装置の印字出力方法では、前記ファクシミリ装置が出力条件の優先度選択手段を備え、優先度選択手段は出力可能な条件を選択することができる。
【００１５】
本発明のファクシミリ装置の印字出力方法では、第１の所定値と前記第２の所定値を異ならせてもよいし、同一値としてもよい。
【００１６】
【発明の実施の形態】
図１は本発明の一実施形態を示す構成図である。図１において、ファクシミリ本体１Ａは、ファクシミリ部１１と、照度認識部１３とからなる。
【００１７】
ファクシミリ部１１は、ファクシミリ通信に必要な機能として、モデム１１１と、アナログフロントエンド部（ＡＦＥ）１１２、ネットワークコントロールユニット（ＮＣＵ）１１３と、メモリ１１４と、記録紙格納部１１５と、定着部１１６と、ヒータ１１７と、操作部１１８と、主制御部１１９と、排紙出力部１２０と、タイマ１２１とからなる。
【００１８】
なお、本発明における印刷手段は、記録紙格納部１１５、定着部１１６、ヒータ１１７、排紙出力部１２０、主制御部１１９（印刷制御プログラムによる制御）に対応する。また、本発明における代行受信手段は、モデム１１１、ネットワークコントロールユニット（ＮＣＵ）１１３、主制御部１１９（通信制御プログラムによる制御）が対応する。本発明における明るさ検出手段は、照度認識部１３に対応する。本発明における制御手段は、主制御部１１９に対応する。本発明の代行受信時間帯設定手段は、操作部１１８、主制御部１１９（代行受信時間帯設定プログラムによる制御）が対応し、本発明における優先度選択手段は、操作部１１８、主制御部１１９（優先度選択プログラムによる制御）が対応する。
【００１９】
たとえば白昼に、ファクシミリ受信した画像データは、メモリ１１４に伸張されて格納される。ただちに印字出力される。この印字出力に際しては、ヒータ１１７が定着部１１６を印字に必要な温度まで上昇させ、記録紙格納部１１５に格納されている記録紙ＰＰが定着部１１６にフィードされ、メモリ１１４内の受信画像は記録紙ＰＰに印字される。
【００２０】
照度認識部１３は、照度センサ１３１と、コンパレータ１３２とからなり、照度センサ１３１は照度を検出し、コンパレータ１３２はこの検出値（省エネ待機モードを解除する基準値）を所定値と比較して比較結果を出力することができる。
【００２１】
主制御部１１９は、照度判定機能を有しており、コンパレータ１３２の検出出力から省エネ待機モードを解除するか否かを判定する。なお、本発明の理解に不要な画像読取部の制御、省エネ待機モードに関する制御については省略する。
【００２２】
ファクシミリが所定時間、所定の動作をしない場合、照度認識部１３を除き省エネ待機モードに移行する。このモードを通常省エネ待機モードＡとする。
【００２３】
通常省エネ待機モードＡにおいて、主制御部１１９は、照度認識部１３の検出信号を取得している。すなわち、コンパレータ１３２は、周囲照度（照明または自然光）を検出しており、周囲照度が予めに設定されている値（本発明の第１の所定値）以下の場合には、所定信号（たとえば、ローレベル信号「Ｌ」）を出力する。主制御部１１９は、この信号を認識し、通常省エネ待機モードＡから省エネ待機モードＢに移行させる。このモードを、省エネ待機モードＢとする。
【００２４】
省エネ待機モードＢにある場合において、周囲照度が基準照度（本発明の第２の所定値：第１の所定値と同じであってもよいし、異なっていてもよい）以上である場合は、通常省エネ待機モードＡに移行する。照度認識部１３は、周囲照度の検出を定期的に行っており、周囲照度が基準照度以下の場合は省エネ待機モードＢとなる。省エネ待機モードＢの状態において、ファクシミリ受信があった場合には、主制御部１１９は、受信画像はメモリ１１４に蓄積し、記録紙ＰＰには印字出力しない。
【００２５】
省エネ待機モードＢにある場合において、本実施形態では、メモリ１１４の容量がなくなり、代行受信が不可能な場合に限り、照度認識部１３の検出出力によらず（周囲照度の条件に係わらず）、印字出力する。
【００２６】
コンパレータ１３２が、周囲照度（照明または自然光）周囲照度が予めに設定されている値（本発明の第２の所定値）以上の場合には、所定信号（たとえば、ハイレベル信号「Ｈ」）を出力する。主制御部１１９は、この信号を認識し、省エネ待機モードＢを解除し、ヒータ１１７をオンして定着部１１６を印字可能な温度に上昇させて、メモリ１１４に蓄積されたファクシミリ受信した画像データにかかる画像を、一括して記録紙ＰＰに印字して排紙出力部１２０から出力する。非省エネモードに移行する。印字出力後、規定時間、ファクシミリにジョブが発生しない場合には通常省エネ待機モードＡの状態に移行する。
【００２７】
図１のファクシミリ装置１Ａの動作を示すフローチャートを図２および図３に示す。
まず、所定時間ジョブがなかったか否かを監視し（Ｓ１０１）、所定時間ジョブがなかったかときは待機モードを省エネ待機モードＡにセットする（Ｓ１０２）。
【００２８】
省エネ待機モードＡを解除する要因があるか否かをチェックし（Ｓ１０３）、その要因があるときは省エネ待機モードＡ解除し（Ｓ１０４）、指定されたジョブを実行し（Ｓ１０５）、処理をＳ１０１に戻す。省エネ待機モードＡを解除する要因にはたとえば、予約送信等が挙げられる。
【００２９】
Ｓ１０３において、省エネ待機モードＡを解除する要因がないときは、周囲照度が所定値（第１の所定値）以下か否かをチェックし（Ｓ１０６）、周囲照度が所定値以下でないときは処理をＳ１０２に戻す。
【００３０】
Ｓ１０６において周囲照度が所定値（第１の所定値）以下であるときは、省エネ待機モードＢに移行する（Ｓ１０７）。省エネ待機モードＢにおいては、ファクシミリ受信があったか否かを監視し（Ｓ１０８）、ファクシミリ受信があったときはメモリの容量が足りているか否かをチェックし（Ｓ１０９）、メモリ容量が足りないときは、省エネ待機モードＢを解除し（Ｓ１１０）、通常受信を行い（Ｓ１１１）、印字出力し（Ｓ１１２）、処理をＳ１０７に戻す。
【００３１】
Ｓ１０９においてメモリ容量が足りるときは代行受信を行い、画像データをメモリに蓄積し（Ｓ１１３）、処理をＳ１０８に戻す。
【００３２】
Ｓ１０８において、ファクシミリ受信がないときは、最後のジョブから所定時間が経過しているか否かをチェックし（Ｓ１１４）、所定時間が経過してないときは、処理をＳ１０８に戻す。
【００３３】
Ｓ１１４において最後のジョブから所定時間が経過しているときは、周囲照度が第２の所定値以下か否かをチェックし（Ｓ１１５）、所定値以下であるときは処理をＳ１０８に戻す。
【００３４】
Ｓ１１５において、周囲照度が第２の所定値以下でないときは、代行受信があったか否か（メモリに画像データが蓄積されているか否か）がチェックされ（Ｓ１１６）、代行受信がないときは、待機モードを省エネ待機モードＡに移行させて処理を終了する（Ｓ１１７）。
【００３５】
Ｓ１１６において、代行受信があったときは待機モードを省エネ待機モードＡに移行させ（Ｓ１１８）、印字処理を行った後処理を終了する（Ｓ１１９）。
【００３６】
図４は、本発明の他の実施形態を示した構成図であり、省エネ待機モードＢの解除時間を設定可能な機能を具備したファクシミリ装置１Ｂを示している。ファクシミリ本体１Ｂの構成は、図１のファクシミリ装置１Ａの構成の主制御部１１９に代行受信時間帯設定機能を備えたものである。
【００３７】
図４のファクシミリ装置１Ｂでは、省エネ待機モードＢへの移行条件のみ周囲照度とし、省エネ待機モードＢからの復帰条件は予めタイマ１２１に設定した時刻にする。
【００３８】
図４のファクシミリ装置１Ｂの動作を示すフローチャートを図５および図６に示す。
【００３９】
まず、省エネ解除時間の入力が行われた後（Ｓ２０１）、所定時間ジョブがなかったか否かを監視し（Ｓ２０２）、所定時間ジョブがなかったかときは待機モードを省エネ待機モードＡにセットする（Ｓ２０３）。
【００４０】
省エネ待機モードＡを解除する要因があるか否かをチェックし（Ｓ２０４）、その要因があるときは省エネ待機モードＡ解除し（Ｓ２０５）、指定されたジョブを実行し（Ｓ２０６）、処理をＳ２０２に戻す。
【００４１】
Ｓ２０４において、省エネ待機モードＡを解除する要因がないときは、周囲照度が所定値（第１の所定値）以下か否かをチェックし（Ｓ２０７）、周囲照度が所定値以下でないときは処理をＳ２０３に戻す。
【００４２】
Ｓ２０７において周囲照度が所定値（第１の所定値）以下であるときは、省エネ待機モードＢに移行する（Ｓ２０８）。省エネ待機モードＢにおいては、ファクシミリ受信があったか否かを監視し（Ｓ２０９）、ファクシミリ受信があったときはメモリの容量が足りているか否かをチェックし（Ｓ２１０）、メモリ容量が足りないときは、省エネ待機モードＢを解除し（Ｓ２１１）、通常受信を行い（Ｓ２１２）、印字出力し（Ｓ２１３）、処理をＳ２０８に戻す。
【００４３】
Ｓ２１０においてメモリ容量が足りるときは代行受信を行い、画像データをメモリに蓄積し（Ｓ２１４）、処理をＳ２０９に戻す。
【００４４】
Ｓ２０９において、ファクシミリ受信がないときは、最後のジョブから所定時間が経過しているか否かをチェックし（Ｓ２１５）、所定時間が経過してないときは、処理をＳ２０９に戻す。
【００４５】
Ｓ２１５において最後のジョブから所定時間が経過しているときは、代行受信があったか否か（メモリに画像データが蓄積されているか否か）がチェックされ（Ｓ２１６）、代行受信がないときは、待機モードを省エネ待機モードＡに移行させて処理を終了する（Ｓ２１７）。
【００４６】
Ｓ２１６において、代行受信があったときは待機モードを省エネ待機モードＡに移行させ（Ｓ２１８）、印字処理を行った後処理を終了する（Ｓ２１９）。
【００４７】
図１および図４に破線で示すように、操作部１１８に、省エネ解除要因選択部１１８１を設け、省エネ待機モードＢの解除要因を、周囲照度と設定時間のどちらにするかを選択可能とすることができる。
【００４８】
【発明の効果】
本発明では、深夜などの無人状態でのファクシミリ受信による無駄な電力を抑えることが可能となる。
【００４９】
また、代行受信によりまとめて印字出力することで定着部の温度上昇時の電力消費を一度にまとめられることによっても無駄な電力を抑えることができる。
【００５０】
さらに、本発明により、季節差による出力可能時間のばらつきを抑えられかつ無駄な電力を抑えることができ、さらにより使用環境に合わせた効率の良い省エネが可能となる。
【図面の簡単な説明】
【図１】本発明の一実施形態を示す構成図である。
【図２】図１のファクシミリ装置の動作の前半を示すフローチャートである。
【図３】図１のファクシミリ装置の動作の後半を示すフローチャートである。
【図４】本発明の他の実施形態を示す構成図である。
【図５】図４のファクシミリ装置の動作の前半を示すフローチャートである。
【図６】図４のファクシミリ装置の動作の後半を示すフローチャートである。
【符号の説明】
１Ａ，１Ｂ  ファクシミリ本体
１１  ファクシミリ部
１３  照度認識部
１１１  モデム
１１２  アナログフロントエンド部（ＡＦＥ）
１１３  ネットワークコントロールユニット（ＮＣＵ）
１１４  メモリ
１１５  記録紙格納部
１１６  定着部
１１７  ヒータ
１１８  操作部
１１９  主制御部
１２０  排紙出力部
１２１  タイマ
１３１  照度センサ
１３２  コンパレータ
【図１】
2004274667.tif 000003
【図２】
2004274667.tif 000004
【図３】
2004274667.tif 000005
【図４】
2004274667.tif 000006
【図５】
2004274667.tif 000007
【図６】
2004274667.tif 000008